(57)【特許請求の範囲】
【請求項１】
底トレーの四方側部に形成された縁枠の前後の内側に沿って一対の前枠と後枠とを立設し、これらの前枠と後枠とを外箱で被うことによって被梱包物を梱包する梱包装置において、前枠と後枠との各上辺には敷蓋片が折曲げ自在に形成され、外箱は前枠と後枠との左右両側面を分離した状態で囲う一対の分割外枠からなり、各分割外枠は底トレーの縁枠の内側に沿って立設される枠面と各枠面の上辺に折曲げ自在に形成された上蓋片とを有し、且つ、前記各分割外枠の左右側辺には前枠又は後枠の左右の角部に沿って折曲げた状態で囲う折曲外片が形成されると共に、各折曲外片の上辺には被せ片が折曲げ自在に形成される一方、前枠と後枠との上辺に形成された各敷蓋片には左右に離間した差込穴が形成され、各被せ片に形成した折込片を各敷蓋片の差込穴に差し込んで係止することにより、各分割外枠を前枠と後枠とに固定した状態で取付けることを特徴とする梱包装置。
【請求項２】
底トレーの四方側部に形成された縁枠の前後の内側に沿って一対の前枠と後枠とを立設し、これらの前枠と後枠とを外箱で被うことによって被梱包物を梱包する梱包装置において、前枠と後枠との各上辺には敷蓋片が折曲げ自在に形成され、外箱は前枠と後枠との左右両側面を分離した状態で囲う一対の分割外枠からなり、各分割外枠は底トレーの縁枠の内側に沿って立設される枠面と各枠面の上辺に折曲げ自在に形成された上蓋片とを有し，且つ、一方の分割外枠の上蓋片の端辺に差込片が形成されると共に、他方の分割外枠の上蓋片に差込穴が形成され、上蓋片の差込片を上蓋片の差込穴に差し込んで係止することにより、外箱の上部を閉塞することを特徴する請求項１記載の梱包装置。
【請求項３】
各分割外枠の枠面の左右側辺に形成された折曲外片と、各折曲外片の上辺に形成された被せ片とを展開形状にした状態で左右の折曲外片を枠面側に折り返すと共に、この左右の折曲外片を折り返した側の反対側に上蓋片を折り返し、この折り返した上蓋片の上に枠面の下半分を折り返して重ねることによって枠面の下半分の左右に露呈された一部の折曲外片に左右夫々の被せ片を挿入して係止することにより、各分割外枠を折り畳んだ状態にして底トレーの内部に収納可能としたことを特徴とする請求項１又は２記載の梱包装置。
【請求項４】
前枠と後枠の夫々の左右側辺に形成された折曲内片を内側に折り返すと共に、前枠と後枠の夫々の上辺に形成された敷蓋片を内側に折り返し、各折曲内片の側端に形成された切込爪を突合せ状態にして、該突合せ状態にされた切込爪に敷蓋片の上端に形成された折込爪を係止することにより、前枠と後枠とを折り畳んだ状態にして底トレーの内部に収納可能としたことを特徴とする請求項１、２又は３記載の梱包装置。
【発明の詳細な説明】
【技術分野】
【０００１】
本発明は、比較的高さの高い被梱包物を梱包するための梱包装置に関する。
【背景技術】
【０００２】
従来の梱包装置の例として、図９を参照すると、この図に示す梱包箱５０は、外装箱５１と前枠５２と後枠５３と底受け部材５４と底トレー５５とから構成されており、外装箱５１は四方に形成された枠体５６と、その上部の各辺に開閉蓋５７、５７…を有する。このような梱包箱５０を組み立てるには、底トレー５５に底受け部材５４を収容した状態にして該底受け５４の上部に被梱包物（不図示）を載置し、前枠５２と後枠５３とを底トレー５５の前後の内側に沿って差込んだ状態にし、外装箱５１を上方に持ち上げて前枠５２と後枠５３の外側に被せ、次いで緩衝材を詰め込んだ後、封緘材としてＰＰテープやステープルを用いて封緘するものである。
【０００３】
ところが、上記のような外装箱５１を有する従来の梱包箱５０は、外装箱５１を前枠５２と後枠５３の上方に持ち上げて被せるようにした被せ箱式であるため、高さの高い製品を梱包するには、製品の高さ以上に外装箱５１を持ち上げる必要があり、作業者の負担が大きいという欠点があった。
【０００４】
また、封緘材には上記のようにＰＰテープやステープルを使用しているため、開梱、廃棄時にカッターナイフ等を使用することとなり、怪我をする危険があった。また、開梱後の梱包材の保管や廃棄には、梱包材そのものが嵩張り、利便性に欠けるという問題があった。
【０００５】
ここで、他の従来例として、特許文献１に記載されたマッサージ椅子の梱包構造について参照すると、この文献の梱包構造は、座板及び背凭れから成る椅子本体を脚部で支持し、この脚部に座板の両側に立ち上がる肘掛を設け、椅子本体にマッサージ用機械部を備えたマッサージ椅子を梱包する構造であって、脚部下端を受ける脚受緩衝材及びその前後方向の移動を規制する脚部固定材を備えた底トレーと、肘掛の左右方向の移動を規制する肘掛パッドと、この肘掛パッドの浮き上がりを防止する肘掛押え部材を備えた左右一対の側面パッドと、両側面パッドに亘って上方から被せる上被部材とから成る構造を有する。
【特許文献１】特開２０００−２４７３９１号公報
【発明の開示】
【発明が解決しようとする課題】
【０００６】
ところで、上記の特許文献１に記載された梱包構造は、マッサージ椅子に備えた肘掛を利用して、肘掛の左右方向の移動を規制する肘掛パッドや、この肘掛パッドの浮き上がりを防止する肘掛押え部材を備えた左右一対の側面パッドを備えている点に特徴を有するものであるが、この梱包構造においても、箱体の側面材をなす両側面パッドに亘って上方から上被部材（外箱）を被せるように組み立てる被せ箱式の構造を有するものであるため、外箱を被せるには、外周をなす側面パッドの上方に外箱を持ち上げる必要があり、作業者に大きな負担をかけるという点では上記の梱包箱と同様の欠点を有するものである。
【０００７】
本発明は、上記の事情に鑑みてなされたもので、被せ箱式構造を廃止し、高さの高い被梱包物であっても容易に梱包することができ、危険を伴う封緘作業を安全なものとし、さらには開梱後の梱包材を嵩張らずに運搬し、保管し、また廃棄することができるようにした梱包装置を提供することを目的とする。
【課題を解決するための手段】
【０００８】
上記の問題を解決するために、本発明における請求項１の梱包装置は、底トレーの四方側部に形成された縁枠の前後の内側に沿って一対の前枠と後枠とを立設し、これらの前枠と後枠とを外箱で被うことによって被梱包物を梱包する梱包装置において、前枠と後枠との各上辺には敷蓋片が折曲げ自在に形成され、外箱は前枠と後枠との左右両側面を分離した状態で囲う一対の分割外枠からなり、各分割外枠は底トレーの縁枠の内側に沿って立設される枠面と各枠面の上辺に折曲げ自在に形成された上蓋片とを有し、且つ、前記各分割外枠の左右側辺には前枠又は後枠の左右の角部に沿って折曲げた状態で囲う折曲外片が形成されると共に、各折曲外片の上辺には被せ片が折曲げ自在に形成される一方、前枠と後枠との上辺に形成された各敷蓋片には左右に離間した差込穴が形成され、各被せ片に形成した折込片を各敷蓋片の差込穴に差し込んで係止することにより、各分割外枠を前枠と後枠とに固定した状態で取付けることを特徴とする。
【０００９】
また、請求項２の梱包装置は、請求項１において、底トレーの四方側部に形成された縁枠の前後の内側に沿って一対の前枠と後枠とを立設し、これらの前枠と後枠とを外箱で被うことによって被梱包物を梱包する梱包装置において、前枠と後枠との各上辺には敷蓋片が折曲げ自在に形成され、外箱は前枠と後枠との左右両側面を分離した状態で囲う一対の分割外枠からなり、各分割外枠は底トレーの縁枠の内側に沿って立設される枠面と各枠面の上辺に折曲げ自在に形成された上蓋片とを有し，且つ、一方の分割外枠の上蓋片の端辺に差込片が形成されると共に、他方の分割外枠の上蓋片に差込穴が形成され、上蓋片の差込片を上蓋片の差込穴に差し込んで係止することにより、外箱の上部を閉塞することを特徴する。
【００１０】
また、請求項３の梱包装置は、請求項１又は２において、各分割外枠の枠面の左右側辺に形成された折曲外片と、各折曲外片の上辺に形成された被せ片とを展開形状にした状態で左右の折曲外片を枠面側に折り返すと共に、この左右の折曲外片を折り返した側の反対側に上蓋片を折り返し、この折り返した上蓋片の上に枠面の下半分を折り返して重ねることによって枠面の下半分の左右に露呈された一部の折曲外片に左右夫々の被せ片を挿入して係止することにより、各分割外枠を折り畳んだ状態にして底トレーの内部に収納可能としたことを特徴とする。
【００１１】
また、請求項４の梱包装置は、請求項１、２又は３において、前枠と後枠の夫々の左右側辺に形成された折曲内片を内側に折り返すと共に、前枠と後枠の夫々の上辺に形成された敷蓋片を内側に折り返し、各折曲内片の側端に形成された切込爪を突合せ状態にして、該突合せ状態にされた切込爪に敷蓋片の上端に形成された折込爪を係止することにより、前枠と後枠とを折り畳んだ状態にして底トレーの内部に収納可能としたことを特徴とする。
【発明の効果】
【００１３】
本発明の梱包装置によれば、外箱が前枠と後枠との左右両側面を分離した状態で囲う一対の分割外枠からなるため、従来の被せ箱式のように、外箱を高い位置に持ち上げる必要がなく、梱包及び開梱作業の手間や労力を軽減することができ、少なくとも２人で持ち上げていた従来の外箱を、本発明では１人で取り付けることが可能となる。
【００１４】
また、上記のように外箱を分割構成にすると共に、この分割構成を左右の分割外枠、前枠及び後枠を折り畳んだ状態で底トレーに収納可能としたため、大幅な減容化が可能であり、運搬際の労力の軽減、運搬の際のスペースの減少化、保管スペースの有効利用及び廃棄性の向上を図ることが可能となる。
【００１５】
さらに、底トレーに収納した被梱包物を前枠と後枠と左右の分割外枠とで梱包し、左右の分割外枠の各被せ片に形成した折込片を前枠と後枠の各敷蓋片の差込穴に差し込んで係止し、一方の分割外枠の上蓋片に形成した差込片を他方の分割外枠の上蓋片に形成した差込穴に差し込んで係止した状態で、梱包箱の全体をベルト等で縛ることにより、従来の封緘材として用いたＰＰテープやステープルを使用する必要がなくなり、これによって、開梱、廃棄の際にカッターナイフ等を使用する必要がなく、怪我等の危険を回避することが可能となる。
【発明を実施するための最良の形態】
【００１６】
以下、本発明の実施例について図面を参照しながら説明する。
【実施例１】
【００１７】
本発明による梱包装置は、図１に示すように、底トレー１の四方側部に形成された縁枠３の前後の内側に沿って一対の前枠４と後枠５とを立設し、これらの前枠４と後枠５とを外箱６（左右の分割外枠８ａ、８ｂ）で被うことによって被梱包物を梱包するようにした梱包装置において、前枠４と後枠５との各上辺には敷蓋片７、７が折曲げ自在に形成され、外箱６は前枠４と後枠５との左右両側面を分離した状態で囲う一対の分割外枠８ａ、８ｂからなり、各分割外枠８ａ、８ｂは底トレー１の縁枠３の内側に沿って立設される枠面９と各枠面９の上辺に折曲げ自在に形成された上蓋片１０ａ、１０ｂとを有してなるものである。
【００１８】
なお、本発明の説明に関し、「前後」とは、例えば図１に示す梱包装置において前枠４が取付けられる側を「前」とし、後枠５が取付けられる側を「後」としたものであり、「左右」とは、上記の前側から後側を向いてその左右方向をいうものとする。
【００１９】
また、本実施例の梱包装置の各部材はダンボール材料によって作製することが可能であるが、その他の材料によって作製することを制限するものではない。
【００２０】
以下、本実施例の梱包装置の各部材について詳細に説明する。図３(ａ)に示すように、底トレー１の展開形状は、被梱包物の大きさに応じて形成された底面１ａと該底面１ａの４辺から延長されてなる縁枠３（３ａ、３ｂ、３ｃ）を有する。図３(ｂ)に示すように、底面１ａの左右の長辺側縁枠３ａ、３ａは折曲線ＢＬを介して立ち上げ状態に折曲げ自在であり、また各長辺側縁枠３ａ、３ａの両側には折曲線ＢＬを介して延長片３ｂ、３ｂ…が形成されている。さらに、底面１ａの前後の短辺側には折曲線ＢＬを介して短辺側縁枠３ｃ、３ｃが形成され、各短辺側縁枠３ｃ、３ｃは、夫々の中間に形成された折返線ＴＬで折返し自在に形成されている。
【００２１】
また、上記の構成において、前後の短辺側縁枠３ｃ、３ｃの端辺の離間位置には差込突部１８、１８…が形成されると共に、前後の各折曲線ＢＬに沿って離間位置に差込穴１９、１９…が形成されている。さらに、４箇所に設けられた延長片３ｂ、３ｂ…の夫々には各側辺に係止突部２０、２０…が形成されると共に、前後の短辺側縁枠３ｃ、３ｃの夫々の折返線ＴＬには離間位置に係止穴２１、２１…が形成されている。
【００２２】
このような構成により、図３（ｂ）に示すように、左右の長辺側縁枠３ａ、３ａを立ち上げると共に、前後左右の延長片３ｂ、３ｂ…を内側に折り曲げ、このように折り曲げた各延長片３ｂ、３ｂ…を挟み込むように、前後の短辺側縁枠３ｃ、３ｃを夫々の折曲線ＢＬで立ち上げるように折り曲げた後、折返線ＴＬで折り返す。次いで、図３(ｃ)に示すように、各短辺側縁枠３ｃ、３ｃの差込突部１８、１８…を各差込穴１９、１９…に差し込み、同時に各延長片３ｂ、３ｂ…の係止突部２０、２０…を係止穴２１、２１…に係止させることにより、底トレー１の四方の縁枠３（３ａ、３ｂ、３ｃ）を固定した状態にすることができ、このように縁枠３を立ち上げた状態にして、その内部に他の折り畳んだ部材を収容することが可能となる（図８参照）。
【００２３】
なお、このような底トレー１において、前後の短辺側縁枠３ｃ、３ｃの各端辺の中央には指差し穴２２、２２が形成され、図３(ｃ)に示すように組み立てられた後の底トレー１を展開する際、この指差し穴２２に指先を入れて持ち上げることにより、容易に前後の短辺側縁枠３ｃ、３ｃを展開することが可能となる。また、底トレー１の各延長片３ｂ、３ｂ…および前後の短辺側縁枠３ｃ、３ｃの所定位置に複数の手掛穴２３、２３…が形成されたことにより、この手掛穴２３、２３…に手を掛けることによって持ちやすくなる。
【００２４】
次に、底受け部材２の展開形状は、図４（ａ）に示すように、上記の底トレー１の底面よりもやや小径の長方形の底板２ａと、該底板２ａの左右の長辺側に並設された切離線ＣＬ、ＣＬ…の夫々の離間位置に繋ぎ片２５、２５…が設けられた折返片２ｂ、２ｂを有する。
【００２５】
このような底受け部材２は、図４（ｄ）、(ｅ)に示すように、底板２ａの左右の折返片２ｂ、２ｂを各繋ぎ片２５、２５…で連結した状態で底板２ａ側に折り返して畳み込むことにより、折り畳んだ状態の底受け部材２を底トレー１の内部に収納することが可能となる（図８参照）。
【００２６】
また、図４（ａ）〜(ｅ)に示すように、底受け部材２の必要箇所には、被梱包物の底部又は脚部等の形状に応じて形成された位置決め穴２４、２４…が設けられている。これらの位置決め穴２４、２４…の形状や形成位置は被梱包物の底部や脚部等の形状によって決定されるべきものであり、図４（ａ）〜(ｃ)等に図示したものはその一例である。また、これらの位置決め穴２４、２４…に被梱包物の底部や脚部等を嵌め込むことにより、被梱包物を所定位置に保持することができる。なお、上記のように折返片２ｂ、２ｂを複数回折り重ねた厚みによって各位置決め穴２４に必要とされる深さを確保することができる。
【００２７】
次に、前枠４と後枠５について説明すると、両者は図１に示すように共通の形状を有するものである。また、図５（ａ）に示すように、前枠４（後枠５も同様）の展開形状は、図５（ａ）に示すように、長方形状の側面部４ａの左右側辺に折曲線ＢＬ、ＢＬを介して折曲内片１７、１７が形成されると共に、側面部４ａの上辺には折曲線ＢＬを介して敷蓋片７が形成されたものである。
【００２８】
このような前枠４（後枠５）を折り畳むには、図５（ｂ）、(ｃ)（ｄ）に示すように、左右の折曲内片１７、１７を内側に折り返すと共に、上部の敷蓋片７を内側に折り返し、左右の折曲内片１７、１７の側端に形成された切込爪１７ａ、１７ａを突合せ状態にする。さらに、突合せ状態にされた切込爪１７ａ、１７ａに折り返した敷蓋片７の上端に形成された左右一対の折込爪７ａ、７ａを押し込んで係止することにより、前枠４（後枠５）の折り畳み状態を保持して、底トレー１の内部に収納することが可能となる。
【００２９】
なお、上記の切込爪７ａ又は１７ａは、折曲内片１７と敷蓋片７の端部から内側に離間した２本の切込みを入れることによって形成したものであり、図５(ｄ)に示すように、敷蓋片７の左右の切込爪７ａ、７ａを折曲内片１７、１７の切込爪１７ａ、１７ａの上に重ねた状態にして押下げることにより、上側の切込爪７ａが下側の切込爪１７ａに食い込むことによって係合状態にすることができるものである。
【００３０】
次に、上記の前枠４と後枠５は、図１に示すように、前枠４と後枠５とに形成された左右の折曲内片１７、１７を内側に向けて略直角に折り曲げ、図７(ｂ)に示すように、前枠４と後枠５とを底トレー１の前後の短辺側の縁枠３の内側に沿って差し込むことにより、底トレー１に取り付けられるものである。この際、図７(ｂ)に示すように、先に底トレー１に収納された底受け部材２と底トレー１の縁枠３との隙間に前枠４と後枠５とを差し込むことによって、前枠４と後枠５は定位置に保持された状態となる。
【００３１】
また、図７(ｂ)に示すように、前枠４と後枠５の各敷蓋片７、７には、その上端付近の面内に左右に離間して差込穴１３、１３が形成されている。この差込穴１３、１３は、後述する分割外箱８ａ又は８ｂの被せ片に設けられた折込片１４、１４を差し込むための穴である（図７(ｄ)参照）。
【００３２】
次に、図１に示すように、外箱６は前枠４と後枠５との左右両側面を分離した状態で囲う一対の（左右の）分割外枠８ａ、８ｂからなり、各分割外枠８ａ、８ｂは底トレー１の縁枠３の内側に沿って立設される枠面９と各枠面９の上辺に設けられた折曲線ＢＬによって折曲げ自在に形成された上蓋片１０ａ、１０ｂとを有する。各分割外枠８ａ、８ｂは略同様の構成を有するが、図６（ａ1）に示すように、図６（ａ１）に示すように一方の分割外枠８ａの上蓋片１０ａの端辺には差込片１５、１５が形成される一方、図６（ａ２）に示すように他方の分割外枠８ｂの上蓋片１０ｂの端辺には差込穴１６、１６が形成されている構成において異なるものである。
【００３３】
また、各分割外枠８ａ、８ｂの矩形の枠面９の左右側辺には夫々の折曲線ＢＬを介して折曲外片１１、１１が形成され、図７(ｄ)に示すように、底トレー１の縁枠３の内側の前後に立設して差し込んだ前枠４又は後枠５の左右の角部に沿って、各分割外枠８ａ、８ｂの夫々の折曲外片１１、１１を折曲げた状態で囲う構成となる。
【００３４】
また、各分割外枠８ａ、８ｂを前枠４と後枠５に固定するには、各分割外枠８ａ、８ｂの夫々の折曲外片１１、１１の各被せ片１２に形成した折込片１４を前枠４と後枠５の各敷蓋片７、７の差込穴１３、１３…に差し込んで係止することにより、各分割外枠８ａ、８ｂを前枠４と後枠５とに固定した状態で取付けることができる。
【００３５】
さらに、一方の分割外枠８ａの上蓋片１０ａと他方の分割外枠８ｂの上蓋片１０ａとを閉じた際に、一方の上蓋片１０ａの差込片１５、１５を他方の上蓋片１０ｂの差込穴１６、１６に差し込んで係止することにより、外箱６の上部を閉塞することができる。
【００３６】
また、各分割外枠８ａ、８ｂにおいて、枠面９の左右の折曲外片１１、１１の夫々の上辺には被せ片１２が折曲げ自在に形成されると共に、夫々の被せ片１２は上蓋片１０とは切離された構成とされている。
【００３７】
上記の各分割外枠８ａ、８ｂを折り畳むには、図６（ａ１）、（ａ２）に示すように、枠面９の上部の上蓋片１０ａ、１０ｂと、枠面９の左右の折曲外片１１、１１と、各折曲外片１１、１１の上部の被せ片１２、１２…とを展開形状にした状態で、図６（ｂ１）、(ｂ２)に示すように、左右の折曲外片１１、１１を枠面９側に折り返す。次いで、図６（ｃ１）、(ｃ２)に示すように、左右の折曲外片１１、１１を折り返した側の反対側に上蓋片１０ａ、１０ｂを折り返した後、図６（ｄ１）、(ｄ２)に示すように、この折り返した上蓋片１０の上に枠面９の下半分を中央折返線ＣＴＬで折り返して重ねる。さらに、図６(ｅ１)、(ｅ２)に示すように、枠面９の下半分の左右に露呈された一部の折曲外片１１、１１に左右夫々の被せ片１２、１２を挿入して係止することにより、図６(ｆ１)、(ｆ２)に示すように、折り畳んだ各分割外枠８ａ、８ｂを底トレー１の内部に収納可能とすることが可能となる。
【００３８】
上記の各部材からなる梱包装置を組み立てるには、図７（ａ）に示すように、縁枠３を立ち上げた状態に組み立てた底トレー１の内部に折り畳んだ底受け部材２を収納する。次いで、図７(ｂ)に示すように、前枠４と後枠５の夫々の折曲内片１７、１７を略直角に折曲した状態にして底受け部材２と底トレー１の縁枠３の前後の短辺側の隙間に差し込むことにより、前枠４と後枠５を底トレーの前後の定位置に保持した状態とする。また、図７(ｃ)に示すように、前枠４と後枠５の夫々の敷蓋片７、７を閉じた状態にする。
【００３９】
次いで、図７（ｄ）に示すように、左右の分割外枠８ａ、８ｂの夫々の折曲外片１１、１１を略直角に折曲した状態にし、前枠４と後枠５の夫々の左右の角部に沿って、底トレー１の縁枠３の内側の前後に立設した状態で差し込む。さらに、図７（ａ）に示すように、左右の分割外枠８ａ、８ｂの夫々の折曲外片１１、１１の各被せ片１２に形成した折込片１４を前枠４と後枠５の各敷蓋片７、７の差込穴１３、１３…に差し込んで係止することにより、各分割外枠８ａ、８ｂを前枠４と後枠５とに固定した状態で取付ける。
【００４０】
また、図７(ｆ)に示すように、左方の分割外枠８ａの上蓋片１０ａと他方の分割外枠８ｂの上蓋片１０ａを閉じた際に、一方の上蓋片１０ａの差込片１５、１５を他方の上蓋片１０ｂの差込穴１６、１６に差し込んで係止することにより、外箱６の上部を固定状態に閉塞する。なお、このような図７(ｆ)に示す組み立て状態において、左右の分割外枠１０ａ、１０ｂの側面に設けられた手掛穴２７、２７は前枠４と後枠５に設けられた手掛穴２６、２６と一致した手掛穴となって、運搬の際に利便となる。
【００４１】
上記の各部材からなる梱包装置を折り畳んで収納するには、図８に示すように、縁枠３を立ち上げた状態に組み立てた底トレー１の内部に上記のように折り畳んだ各部材として、左方の分割外枠１０ａ、右方の分割外枠１０ｂ、前枠４、後枠５、底受け部材２を積み重ねた状態で収容することにより、大幅に減容化した状態で運搬、保管及び廃棄等が可能となる。
【産業上の利用可能性】
【００４２】
本発明の梱包装置は、被せ箱式構造を廃止し、高さの高い被梱包物であっても容易に梱包することができ、危険を伴う封緘作業を安全なものとし、さらには開梱後の梱包材を嵩張らずに運搬し、保管し、また廃棄することができる梱包装置として利用可能である。
【図面の簡単な説明】
【００４３】
【図１】本発明の実施例に係る梱包装置の分解斜視図である。
【図２】本発明の実施例に係る梱包装置を組み立てた状況を透視的に示す斜視図である。
【図３】（ａ）は本発明の実施例に係る梱包装置の底トレーの展開図であり、(ｂ)は組み立て図であり、(ｃ)は組み立て後の斜視図である。
【図４】(ａ)は本発明の実施例に係る梱包装置の底受け部材の展開図であり、(ｂ)〜（ｄ）は組立図であり、(ｅ)は組み立て後の斜視図である。
【図５】(ａ)は本発明の実施例に係る梱包装置の前枠または後枠の展開図であり、（ｂ）、(ｃ)は組立図であり、（ｄ）は組み立て後の斜視図である。
【図６】（ａ１）〜（ｆ１）は本発明の実施例に係る梱包装置の一方の分割外枠を示すものであり、（ａ１）は展開図、（ｂ１）〜(ｅ１)は組み立て図、(ｆ１)は組み立て後の斜視図である。また、（ａ２）〜（ｆ２）は本発明の実施例に係る梱包装置の他方の分割外枠を示すものであり、（ａ２）は展開図、（ｂ２）〜(ｅ２)は組み立て図、(ｆ２)は組み立て後の斜視図である。
【図７】（ａ）〜(ｆ)は本発明の実施例に係る梱包装置の組み立て手順を示す斜視図である。
【図８】本発明の実施例に係る梱包装置の各部材を折り畳んで底トレーに収納している状況を示す斜視図である。
【図９】従来の梱包装置の分解斜視図である。
【符号の説明】
【００４４】
１  底トレー
１ａ  底面
２  底受け部材
２ａ  底板
２ｂ  折返片
３  縁枠
３ａ  長辺側縁枠
３ｂ  延長片
３ｃ  短辺側縁枠
４  前枠
４ａ  側面部
５  後枠
６  外箱
７  敷蓋片
７ａ  折込爪
８ａ、８ｂ  分割外枠
９  枠面
１０  上蓋片
１１  折曲外片
１２  被せ片
１３  差込穴
１４  折込片
１５  差込片
１６  差込穴
１７  折曲内片
１７ａ  切込爪
１８  差込突部
１９  差込穴
２０  係止突部
２１  係止穴
２２  指差し穴
２３  手掛穴
２４  位置決め穴
２５  繋ぎ片
２６  手掛穴
２７  手掛穴
ＢＬ  折曲線
ＴＬ  折返線
ＣＬ  切離線
ＣＴＬ  中央折返線
Ｐ  被梱包物
【図１】
0004930887.tif 000002
【図２】
0004930887.tif 000003
【図３】
0004930887.tif 000004
【図４】
0004930887.tif 000005
【図５】
0004930887.tif 000006
【図６】
0004930887.tif 000007
【図７】
0004930887.tif 000008
【図８】
0004930887.tif 000009
【図９】
0004930887.tif 000010